(57)【要約】【課題】本発明は、被覆剥取用の刃体を架線に遠近させる操作と、被覆剥取用の刃体が架線の被覆に食い込んだ状態で器具全体を回転させる操作と、を同じクイック等の間接活線把持工具で行うことができる架線の被膜剥取器具を提供する。【解決手段】架線の被膜剥取器具１は、保持部２１と、刃体４、５を有する刃体ホルダー３と、螺子棒６とを備え、螺子棒６は、刃体ホルダー３とは反対側端にクイック３００により挟んで把持することが可能な被把持部７が設けられていると共に、被把持部７よりも刃体ホルダー３側にクイック３００で掴んで架線１００を回転中心として被覆剥取器具１を回転させる掴み部８が配置されている。掴み部８は、螺子棒６を軸芯として回転することができる。保持部２１は、螺子棒６とは相反する方向に延びるアーム１０を有し、アーム１０に掴み部９が配置されている。【選択図】図３
2016103911.tif 000002
【特許請求の範囲】
【請求項１】
芯線の周囲を絶縁性の被覆で覆われて成る架線の前記被覆を剥ぎ取るための架線の被覆剥取器具において、
前記架線の側面に当接可能な凹部が形成された保持部と、前記保持部に遠近する刃体ホルダーと、前記刃体ホルダーが前記保持部に最も近接したときに前記保持部の凹部に当接した前記架線の被覆のみに食い込むように前記刃体ホルダーに取り付けられた刃体と、前記保持部から離れる方向に延出し、前記保持部側の端部が前記刃体ホルダーに取り付けられて、前記刃体ホルダーを前記保持部に遠近する方向に可動させる螺子棒と、前記保持部に対し前記凹部と対峙する側に配されると共に前記螺子棒が挿通可能な螺子切りされた挿通孔を有する台部とを備え、
前記螺子棒は、前記刃体ホルダーに取り付けられた側とは反対側端に間接活線用把持工具の一対の把持部により挟んで把持することが可能な被把持部が設けられていると共に、前記被把持部よりも刃体ホルダー側に前記間接活線用把持工具の把持部で掴んで前記架線の被覆剥取器具全体を前記架線の軸芯を回転中心として回転させる掴み部が配置されており、前記掴み部は、前記螺子棒の軸芯を回転中心として回転することができることを特徴とする架線の被覆剥取器具。
【請求項２】
前記掴み部は、環状部と、前記環状部から径方向外側に延出した一対の棒状部と、前記各棒状部の延出方向の先端に配置されて、前記間接活線用把持工具の一対の把持部で把持される掴み部本体とで構成され、前記環状部は、前記螺子棒のうち、前記被把持部よりも前記刃体ホルダー側に形成され、且つ、当該螺子棒の他の部位よりも相対的に外径寸法の小さな小径部に外挿されていることを特徴とする請求項１に記載の架線の被覆剥取器具。
【請求項３】
前記掴み部の環状部は、外径寸法が前記螺子棒の小径部以外の部位の外径寸法よりも小さくなっていると共に、前記棒状部は、前記螺子棒と対峙する側に係合部が形成されており、
前記螺子棒は、前記小径部の外周側に前記環状部と当接可能な当接面を有し、更に、前記当接面よりも外周側に前記棒状部の係合部と係合可能な係合部が前記小径部を基点として放射状に複数形成されていることを特徴とする請求項２に記載の架線の被覆剥取器具。
【請求項４】
前記保持部に、前記螺子棒の延出方向に対し同軸線上で且つ当該螺子棒とは相反する方向に延出するアームを形成し、
前記アームに、当該アームから径方向外側に延出した一対の棒状部と、前記各棒状部の延出方向の先端に配置されて、前記間接活線用把持工具の一対の把持部で把持される掴み部本体と、で構成された掴み部を設けたことを特徴とする請求項１、請求項２又は請求項３に記載の架線の被覆剥取器具。
【発明の詳細な説明】
【技術分野】
【０００１】
本発明は、間接活線作業用により架線の被覆を剥ぎ取ることができる架線の被覆剥取器具の構造に関する。
【背景技術】
【０００２】
活線状態の架線の被覆を遠隔操作により安全に剥ぎとるための電線被膜剥取用工具は、例えば特許文献１、２等に示されるように既に公知になっている。この特許文献１、２に記載の電線被覆剥取用工具について概説すると、本体と、螺子棒と、アームとを備えたもので、本体は、保持部と、基台部と、保持部と基台部とを繋ぐ支持部とで構成されて略コ字状を成している。このうち、保持部は、基台部側において被覆電線に引き掛け可能な凹部を有している。また、螺子棒は、その全範囲がねじ部となっているもので、基台部を貫通するねじ孔に挿通して、支持部に平行して保持部に遠近するように移動可能なもので、軸方向の一方端で保持部と基台部の間となる部位に刃体ホルダーを有すると共に軸方向の他方端に係合用リングを有したものとなっている。刃体ホルダーには、刃体が取り付けられ、刃体は凹部に向けて突出し、架線の被膜に食い込む位置に配置されている。
【０００３】
そして、このような特許文献１、２に示される電線被膜剥取用工具の構成とすることで、特に特許文献２の図３に示されるように、間接活線把持工具の例えばクイックでアームを把持して、電線被膜剥取用工具を保持部の凹部が架線に引き掛けられた状態にし、次に、電線被膜剥取用工具の係合用リングに間接活線工具の例えばバインド打ち器のフックを係合させ、係合用リングを複数回にわたって回転させることによって、刃体ホルダーを本体の保持部に接近させて、保持部の凹部と刃体ホルダーとで架線を挟んで締め付けつつ刃体ホルダーの刃体を架線の被膜に食い込ませた後に、電線被膜剥取用工具を回転させることで、架線の中間部分の被膜を剥ぎ取ることが可能となっている。
【先行技術文献】
【特許文献】
【０００４】
【特許文献１】特開平６−２６１４３２号公報
【特許文献２】特開２０１０−２２１８２号公報
【発明の概要】
【発明が解決しようとする課題】
【０００５】
しかしながら、電線被膜剥取用工具を架線に引き掛けて架線の被覆を剥ぎ取るという一連の作業を行うためには、クイック等の間接活線把持工具とバインド打ち器を先端工具として装着した共用操作棒という異なる種類の間接活線用工具が必要となっている。このため、作業現場への間接活線用工具の運搬時、作業現場での一時的な保管場所等において、不便、不都合が生じていた。そして、作業途中で間接活線用工具を交換したり、複数の作業員による操作をしたり、若しくは一人の作業員で両手にそれぞれ間接活線用工具を持ったりする等の必要もあった。
【０００６】
また、電線被膜剥取用工具の係合用リングを回して架線の被覆剥ぎ取り用の刃体を架線に遠近させるために、係合用リングの通孔にバインド打ち器のフックを差し込むが、フックの基部までが係合用リングの通孔に入り込んでしまい、係合用リングをバインド打ち器で上手く回転させることができない場合があるという不具合もあった。
【０００７】
更に、電線被膜剥取用工具は、一般的には、特許文献１に示されるように、先端に係合用リングを有する螺子棒の軸線とアームの軸線とは９０度で交差する配置になっているので、架線の被覆を剥ぎ取るために架線を中心として電線被膜剥取用工具全体を回転させる際に、電線被膜剥取用工具を上手く回転させることができないという不都合もあった。
【０００８】
そこで、本発明は、１種類の間接活線用工具で電線被膜剥取用工具を架線に引き掛けて架線の被覆を剥ぎ取るという一連の作業を行うことができ、かかる間接活線用工具を使用するときに、係合用リングの通孔への差し込みに不具合を生ずる不具合を根本的に解決し、架線の被覆を剥ぎ取るために回転させる操作を円滑に行うことを可能とした架線の被覆剥取器具を提供することを目的としている。
【課題を解決するための手段】
【０００９】
本発明の架線の被覆剥取器具は、芯線の周囲を絶縁性の被覆で覆われて成る架線の前記被覆を剥ぎ取るための架線の被覆剥取器具において、前記架線の側面に当接可能な凹部が形成された保持部と、前記保持部に遠近する刃体ホルダーと、前記刃体ホルダーが前記保持部に最も近接したときに前記保持部の凹部に当接した前記架線の被覆のみに食い込むように前記刃体ホルダーに取り付けられた刃体と、前記保持部から離れる方向に延出し、前記保持部側の端部が前記刃体ホルダーに取り付けられて、前記刃体ホルダーを前記保持部に遠近する方向に可動させる螺子棒と、前記保持部に対し前記凹部と対峙する側に配されると共に前記螺子棒が挿通可能な螺子切りされた挿通孔を有する台部とを備え、前記螺子棒は、前記刃体ホルダーに取り付けられた側とは反対側端に間接活線用把持工具の一対の把持部により挟んで把持することが可能な被把持部が設けられていると共に、前記被把持部よりも刃体ホルダー側に前記間接活線用把持工具の把持部で掴んで前記架線の被覆剥取器具全体を前記架線の軸芯を回転中心として回転させる掴み部が配置されており、前記掴み部は、前記螺子棒の軸芯を回転中心として回転することができることを特徴としている（請求項１）。間接活線用把持工具は、例えばクイック型の絶縁ヤットコ等である。
【００１０】
これにより、間接活線作業において、架線の被覆剥取器具を持ち上げて、保持部を架線に引き掛ける操作や、架線の被覆剥取器具の刃体ホルダーを保持部に遠近させるために螺子棒を回転させる操作や、架線の被覆剥取器具を持ち上げて架線を中心として回転させる操作は、いずれも、螺子棒の被把持部を同一の間接活線用把持工具の一対の把持部で挟んで把持することにより行うことが可能である。
【００１１】
本発明の架線の被覆剥取器具では、前記掴み部は、環状部と、前記環状部から径方向外側に延出した一対の棒状部と、前記各棒状部の延出方向の先端に配置されて、前記間接活線用把持工具の一対の把持部で把持される掴み部本体とで構成され、前記環状部は、前記螺子棒のうち、前記被把持部よりも前記刃体ホルダー側に形成され、且つ、当該螺子棒の他の部位よりも相対的に外径寸法の小さな小径部に外挿されていることを特徴としている（請求項２）。
【００１２】
これにより、掴み部について、環状部から突出した一対の棒状部の向きが架線の軸方向と平行になっていないため、架線を中心に架線の被覆剥取器具を回転させる操作が困難な場合には、掴み部の掴み部本体を間接活線用把持工具の一対の把持部で把持して環状部を回転させ、環状部から突出した一対の棒状部の向きが架線の軸方向と平行にすることが可能である。
【００１３】
本発明の架線の被覆剥取器具では、前記掴み部の環状部は、外径寸法が前記螺子棒の小径部以外の部位の外径寸法よりも小さくなっていると共に、前記棒状部は、前記螺子棒と対峙する側に係合部が形成されており、前記螺子棒は、前記小径部の外周側に前記環状部と当接可能な当接面を有し、更に、前記当接面よりも外周側に前記棒状部の係合部と係合可能な係合部が前記小径部を基点として放射状に複数形成されていることを特徴としている（請求項３）。
【００１４】
これにより、架線を中心に架線の被覆剥取器具を回転させるために、掴み部の掴み部本体を間接活線用把持工具の一対の把持部で把持して掴み部を回すときに、掴み部の環状部が螺子棒に確実に係合しているので、掴み部を回しやすくすることができる。
【００１５】
本発明の架線の被覆剥取器具では、前記保持部に、前記螺子棒の延出方向に対し同軸線上で且つ当該螺子棒とは相反する方向に延出するアームを形成し、前記アームに、当該アームから径方向外側に延出した一対の棒状部と、前記各棒状部の延出方向の先端に配置されて、前記間接活線用把持工具の一対の把持部で把持される掴み部本体と、で構成された掴み部を設けたことを特徴としている（請求項４）。
【００１６】
これにより、先端に掴み部を有する螺子棒と掴み部を有するアームとが架線を中心として相反する方向に配置されているので、螺子棒を水平よりも上側まで回すと、アームは水平よりも下側となり、アームが自らの重みにより降りてくるので、先端に掴み部を有する螺子棒と掴み部を有するアームとが架線を中心として９０度ずれた配置とする場合よりも、双方の掴み部を利用して、架線を中心に架線の被覆剥取器具を回転させる際に、架線の被覆剥取器具を上手く回転させることが可能である。
【発明の効果】
【００１７】
以上のように、本発明に係る架線の被覆剥取器具によれば、間接活線作業において、架線の被覆剥取器具を持ち上げて、保持部を架線に引き掛ける操作や、架線の被覆剥取器具の刃体ホルダーを保持部に遠近させるために螺子棒を回転させる操作や、架線の被覆剥取器具を持ち上げて架線を中心として回転させる操作は、いずれも、螺子棒の被把持部を同じ間接活線用把持工具の一対の把持部で挟んで把持することにより行うことが可能である。このため、架線の被覆剥取器具を持ち上げて架線を中心として回転させる一連の操作を、１つの間接活線用把持工具で行うことができるので、複数の間接活線用把持工具を保管するための保管場所に困ったり、間接活線用把持工具を作業途中で持ち替えたり、２つの間接活線用把持工具を両手で操作したり、２人で前記一連の作業を行ったりする必要がなくなる。
【００１８】
しかも、架線の被覆剥取器具の刃体ホルダーを保持部に遠近させるために螺子棒を回転させる操作について、螺子棒の係合用リングの通孔にバインド打ち器のフックを差し込んで回す必要がなくなるので、バインド打ち器のフックが基部まで螺子棒の係合用リングの通孔に入り込むような不具合もなくなる。
【００１９】
特に請求項２の発明に係る架線の被覆剥取器具によれば、螺子棒を保持部に近接する方向に回転して、刃体が架線に適宜当たった状態となったときに、掴み部について、環状部から突出した一対の棒状部の向きが架線の軸方向と平行になっていない場合には、掴み部の掴み部本体を間接活線用把持工具の一対の把持部で把持して環状部を回転させ、環状部から突出した一対の棒状部の向きが架線の軸方向と平行にすることできる。このため、螺子棒の回転数に囚われずに、架線を中心に架線の被覆剥取器具を回転させる操作を容易に行うことが可能である。
【００２０】
特に請求項３の発明に係る架線の被覆剥取器具によれば、架線を中心に架線の被覆剥取器具を回転させるために、掴み部の掴み部本体を間接活線用把持工具の一対の把持部で把持して掴み部を回すときに、掴み部の環状部が螺子棒に確実に係合しているので、掴み部を回しやすくすることができるので、架線の被覆剥取器具の操作性をより向上させることが可能である。
【００２１】
特に請求項４の発明に係る架線の被覆剥取器具によれば、先端に掴み部を有する螺子棒と掴み部を有するアームとが架線を中心として相反する方向に配置されている。このため、先端に掴み部を有する螺子棒と掴み部を有するアームとが架線を中心として相反する方向に配置されているので、螺子棒を水平よりも上側まで回すと、アームは水平よりも下側となり、アームが自らの重みにより降りてくるため、先端に掴み部を有する螺子棒と掴み部を有するアームとが架線を中心として９０度ずれた配置とする場合よりも、双方の掴み部を利用して、架線を中心に架線の被覆剥取器具を回転させる際に、架線の被覆剥取器具を上手く回転させることができるので、架線の被覆剥取器具の操作性をより向上させることが可能である。
【図面の簡単な説明】
【００２２】
【図１】図１は、架線の被覆剥取器具の全体構成を示す説明図であり、図１（ａ）は、架線の被覆剥取器具の側面図、図１（ａ）は、架線の被覆剥取器具の正面図である。
【図２】図２は、架線の被覆剥取器具の掴み部の構成を示す説明図であり、図２（ａ）は、掴み部を成す筒状部、棒状部、掴み部本体の構成を示す一部断面図であり、図２（ｂ）は、掴み部の平面図である。
【図３】図３は、架線の被覆剥取器具の全体構成を示すと共にクイックで被把持部を把持したり掴み部の掴み部本体を把持したりする動作を示す斜視図である。
【図４】図４は、架線の被覆剥取器具の変形例として、掴み部の棒状部と螺子棒とに係合部が形成された構成を示す説明図である。
【発明を実施するための形態】
【００２３】
以下、本発明の架線の被覆剥取器具１の一例について図１から図３を参照しながら説明する。
【００２４】
この被覆剥取器具１は、図３に示される芯線１０１の周囲を絶縁性の被覆１０２で覆われて成る架線１００が活線状態でも、遠隔操作により、架線１００、特に架線１００の中間部分において、被覆１０２のみを安全に剥ぎ取ることを可能としたものである。すなわち、この被覆剥取器具１は、間接活線作業に好適な器具である。
【００２５】
被覆剥取器具１は、特に図１及び図３に示されるように、本体２と、刃体ホルダー３と、刃体４、５と、螺子棒６とで基本的に構成されている。
【００２６】
本体２は、その全体形状が側方（架線１００の軸方向）から見て略コ字形状を成すもので、保持部２１と、この保持部２１に対峙した位置にある台部２２と、略直線状に延びて保持部２１と台部２２とを連接する支持部２３とを備えている。
【００２７】
保持部２１は、台部２２と対峙する側に凹部２４が形成されている。この凹部２４は、架線１００の円周状の側面の上方にガタツキなく当接して、保持部２１を架線１００に引き掛けることができるように、その内側面が架線１００の軸方向から見て略円弧状となっている。
【００２８】
台部２２は、図１に示されるように、支持部２３の延出方向と平行に延びる貫通孔２５が形成されており、貫通孔２５の内周面はその全範囲にわたってねじ切りされている。
【００２９】
支持部２３は、刃体ホルダー３が保持部２１に遠近するように変位するときに刃体ホルダー３を支持するもので、支持部２３の凹部２４とは反対側（支持部２３の背側）に下記するガイド部材３５の側面が当接しながら刃体ホルダー３が変位するようになっている。
【００３０】
刃体ホルダー３は、保持部２１と台部２２との間に配されるもので、２つの板状部３１、３１の間に保持部２１の凹部２４側に延びる刃体４、５が設置されている。
【００３１】
刃体４は、凹部２４に当接した状態の架線１００に対し軸方向に沿って刃先が当たるように配置され、刃体５は、凹部２４に当接した状態の架線１００に対し径方向に沿って刃先が当たるように２つ配置されている。すなわち、刃体４と２つの刃体５、５とでコ字状の配置となっている。そして、刃体４の保持部２１側への延出幅は、双方の刃体５の保持部２１側への延出幅よりも大きくなっているもので、これにより、刃体４は、刃体５よりも先に凹部２４に当接した状態の架線１００に先に当たることができる。
【００３２】
また、刃体ホルダー３は、この実施例では、刃体４、５よりも側方（架線１００の軸方向）外側に、肉厚の薄い直方体状のブロック体３２、３２が配置されている。
【００３３】
各ブロック体３２は、ボルト３３に外装されたコイルバネ３４により、刃体４、５側に付勢されている。このブロック体３２は、架線１００の被覆１０２を軸方向に沿って連続的に剥ぎ取るときに、架線１００の被覆１０２が剥ぎ取られて芯線１０１が剥き出しとなった部位と、被覆１０２で覆われたままの架線１００とで被覆１０２の厚みにより段差が生ずるが、この段差があっても被覆１０２に刃体４、５を真っ直ぐに食い込ませられるように、架線１００の芯線１０１に当接するものである。
【００３４】
更に、刃体ホルダー３は、各板状部３１について支持部２３よりも側方側に突出した突出部３１ａを有し、この突出部３１ａ、３１ａ間に円柱状のガイド部材３５が架設されている。
【００３５】
このガイド部材３５は、回転自在であっても良い。これにより、刃体ホルダー３が保持部２１に遠近するように変位するときに、ガイド部材３５が支持部２３の凹部２４とは反対側の外面に当接し続けるので、刃体ホルダー３のガタツキを防止することができる。
【００３６】
螺子棒６は、刃体ホルダー３を保持部２１に遠近する方向に可動させるためのもので、基本的には、直線状の略円柱状をなし、その長手方向の一方端はその本体部分よりも径方向外側に突出して成る頭部（図示せず。）が刃体ホルダー３に回転自在に取り付けられている。
【００３７】
そして、螺子棒６のうち刃体ホルダー３に取り付けられた側とは反対側で且つ下記する掴み部８よりも刃体ホルダー３側となる部位に、環状部材６０が設けられている。この環状部材６０は、螺子棒６の螺子切りされた部位のうち最も刃体ホルダー３とは反対側に配置されているもので、刃体４、５が架線１００の芯線１０１にまで食い込むのを防止するためのストッパーとなっている。すなわち、螺子棒６が保持部２１側に変位するときに、環状部材６０が台部２２に当接して、螺子棒６が、それ以上、保持部２１側に変位しないようにすることで、刃体ホルダー３が不必要に保持部２１側に変位することが防止されて、刃体４、５が架線１００の芯線１０１にまで食い込まないようになっている。
【００３８】
ところで、本発明では、螺子棒６は、刃体ホルダー３に取り付けられた側とは反対側端に、クイック型の絶縁ヤットコ（以下、クイックと略する。）３００の一対の固定側把持部３０１、３０１及び可動側把持部３０２（図３に示す。）で挟んで把持することのできる被把持部７が設けられている。
【００３９】
被把持部７は、螺子棒６と一体に回転するもので、この実施例では、図１、３に示されるように、螺子棒６の径方向寸法よりも幅が広く、螺子棒６の径方向寸法よりも肉厚の薄い平板状の形状をなしている。そして、被把持部７のうちクイック３００の把持部３０１、３０１、３０２で把持する面には、クイック３００の滑り止め部７１が形成されている。滑り止め部７１は、三角柱状の凸部が複数並列するかたちで形成されて、ギザギザ状になっている。
【００４０】
これにより、被把持部７をクイック３００の把持部３０１、３０１、３０２で把持することで、被覆剥取器具１を架線１００側に持ち上げて保持部２１の凹部２４で架線１００に上方から引き掛かけたり、被覆剥取器具１を架線１００から外して引き下げたり、更には、図３に示されるように、保持部２１の凹部２４で架線１００に引き掛かけた状態で、被把持部７を回転させることで螺子棒６を回転させて、刃体４、５を架線１００に遠近させたりすることが可能となる。
【００４１】
そして、被覆剥取器具１について、架線１００を回転中心として回転させる操作を行うための機構として、２つの掴み部８、９を有している。
【００４２】
掴み部８は、図１から図３に示されるように、螺子棒６の環状部材６０と被把持部７との間の所定の部位について他の部位よりも細い円柱状の小径部（螺子切りされていない。）６１として、この小径部６１に外挿される環状部８１と、環状部８１から径方向外側に且つ相反する方向に延出した一対の棒状部８２、８２と、各棒状部８２の延出方向の先端に配置された掴み部本体８３とで構成されている。
【００４３】
環状部８１の通孔８１ａは、螺子切りされておらず、且つ小径部６１の外径寸法よりも若干大きな内径寸法の円孔となっている。これにより、掴む部８の環状部８１は、螺子棒６の小径部６１を軸芯として自在に回転することが可能である。掴み部本体８３は、クイック３００の把持部３０１、３０１、３０２で掴むことが可能なように、棒状部８２に外挿するための貫通孔８３ａを有する略円柱状のもので、この実施例では、長手方向の中央部位よりも長手方向の端側の方が外径寸法の大きな、略杵型の形状をなしている。そして、掴み部本体８３は、棒状部８２を軸芯として回転自在である。
【００４４】
掴み部９は、図１及び図３に示されるように、保持部２１の凹部２４とは反対側となる外面に、螺子棒６の延出方向に対し同軸線上で且つ当該螺子棒６とは相反する方向に延出するアーム１０を形成して、アーム１０の径方向外側に且つ相反する方向に延出した一対の棒状部９１、９１と、各棒状部９１の延出方向の先端に配置された掴み部本体９２とで構成されている。
【００４５】
棒状部９１、９１の軸方向は、保持部２１の凹部２４を架線１００に引き掛かけたときに、架線１００の軸方向と平行になる。また、掴み部本体９２は、クイック３００の把持部３０１、３０１、３０２で掴むことが可能なように、棒状部９１に外挿するための貫通孔９２ａを有する略円柱状のもので、この実施例では、長手方向の中央部位よりも長手方向の端側の方が外径寸法の大きな、略杵型の形状をなしている。そして、掴み部本体９２は、棒状部９１を軸芯として回転自在である。
【００４６】
このような掴み部８、９の構成により、架線１００を回転中心として被覆剥取器具１を回転させ、架線１００の被覆１０２を剥ぐ操作の一例について、以下に説明する。
【００４７】
螺子棒６の被把持部７をクイック３００の把持部３０１、３０１、３０２で把持して、環状部材６０が台部２２に当接するまで螺子棒６を所定方向に回転させた場合に、棒状部８２、８２の軸方向は、保持部２１の凹部２４を架線１００に引き掛かけたときの架線１００の軸方向と平行になっていない場合がある。この場合には、事前準備として、掴み部８の摘み部本体８３、８３をクイック３００の把持部３０１、３０１、３０２で把持して、図３に示されるように、掴み部８の環状部８１について、螺子棒６の小径部６１を軸芯として回転させ、棒状部８２、８２の軸方向が、保持部２１の凹部２４を架線１００に引き掛かけたときの架線１００の軸方向と平行になるようにする。
【００４８】
次に、掴み部８の摘み部本体８３、８３をクイック３００の把持部３０１、３０１、３０２で把持して又は把持したまま、螺子棒６が水平方向よりも上側となるまで被覆剥取器具１を回転させる。これにより、架線１００を基準として螺子棒６とは１８０度の位置にあるアーム１０が水平方向寄りも下側となるので、アーム１０は自重により下方に降りてくる。そこで、今度は、アーム１０の掴み部９をクイック３００の把持部３０１、３０１、３０２で把持して、螺子棒６が水平方向よりも上側となるまで被覆剥取器具１を回転させる。これにより、刃体４、５で架線１００の被覆１０２のみを架線１００の全周にわたって剥ぐことができる。
【００４９】
尚、図４に示されるように、掴み部８と螺子棒６とは係合可能としても良い。すなわち、掴み部８の環状部８１は、その外径寸法が螺子棒６の小径部６１以外の部位の外径寸法よりも小さくなっていると共に、棒状部８２、８２は、螺子棒６の小径部６１の周縁に存する面６２、６３と対峙する側に係合部８２ａ、８２ｂが形成されていても良い。また、螺子棒６は、螺子棒６の小径部６１の周縁に存する面６２、６３のうち、相対的に小径部６１側となる部位に、環状部８１と当接可能な当接面６２ａ、６３ａを有し、更に、螺子棒６は、当接面６２ａ、６３ａよりも外周側であり、相対的に小径部６１側とは反対側となる部位に、棒状部８２の係合部８２ａ、８２ｂと係合可能な係合部６２ｂ、６３ｂが、小径部６１を基点として放射状に複数形成されていても良い。
【００５０】
これにより、掴み部８の掴み部本体８３をクイック３００の把持部３０１、３０１、３０２で把持して掴み部８を回すときに、掴み部８の係合部８２ａ、８２ｂと螺子棒６の係合部６２ｂ、６３ｂとが適宜に噛み合って、掴み部８の環状部８１が螺子棒６に確実に係合された状態となるので、掴み部８を回しやすくすることができる。
【符号の説明】
【００５１】
１  架線の被覆剥取器具
３  刃体ホルダー
４、５  刃体
６  螺子棒
７  被把持部
８、９  掴み部
１０  アーム
２１  保持部
２２  台部
１００  架線
１０１  芯線
１０２  被覆
３００  クイック
【図１】
2016103911.tif 000003
【図２】
2016103911.tif 000004
【図３】
2016103911.tif 000005
【図４】
2016103911.tif 000006